(57)【要約】【課題】  ショッピングバッグに漏れた肉汁や結露による水滴などが、ショッピングバッグに吸収されるのを防止することにより、保温性が高く、カビや悪臭が発生しない衛生的に優れたショッピングカート用ショッピングバッグを提供する。【解決手段】  蓋により開閉可能な開口部を有し、外面の少なくとも一部に可動台車への取り付け部を備えたショッピングカート用ショッピングバッグであって、当該バッグの表面側が、化粧用シートで形成され、バッグの内面側が、水密性を有するシートの表面に金属箔を接着し若しくは金属蒸着を施してなる熱反射シートで形成されている。【選択図】図３
2007217013.tif 000002
【特許請求の範囲】
【請求項１】
蓋により開閉可能な開口部を有し、外面の少なくとも一部に可動台車への取り付け部を備えたショッピングバッグであって、当該バッグの表面側が、化粧用シートで形成され、バッグの内面側が、水密性を有するシートの表面に金属箔を接着し若しくは金属蒸着を施してなる熱反射シートで形成されていることを特徴とするショッピングカート用ショッピングバッグ。
【請求項２】
熱反射シートと化粧用シートとの間に、断熱層または緩衝層の少なくともいずれか一方を介在させたことを特徴とする請求項１記載のショッピングカート用ショッピングバッグ。
【請求項３】
可動台車が高齢者用の手押し車であることを特徴とする請求項１または２に記載のショッピングカート用ショッピングバッグ。
【発明の詳細な説明】
【技術分野】
【０００１】
本発明はショッピングバッグに関し、特に、手押し用の台車（いわゆるショッピングカート）に取り付けて使用されるショッピングバッグに関するものである。
【背景技術】
【０００２】
近年の高齢化により、高齢者の各自が自立して生活するためには、それぞれがスーパーマーケット等に出向き、食料品等を買って生活するようにしている。
こうした食料品では保存のために、チルド冷蔵や冷凍保存商品が多く、購入した食料品は、その適温を維持した状態で家庭に持ち帰る必要がある。
こうした要請にこたえるものとして、断熱用のウレタンスポンジを内蔵した生地で作製されたバッグを手押し用の台車（ショッピングカート）に取り付けたものが提案されている。（例えば、特許文献1参照）。
【０００３】
しかしながら、チルド冷蔵や冷凍保存された商品は、例えば、魚や肉を包装しているラップからその肉汁（ドリップ）等が漏れることがあるし、薄いポリエチレン樹脂製などの袋に収納されていても、袋の周囲に結露が生じたりする。そして、このような肉汁や結露が滴り、バッグの生地のウレタンスポンジに吸収されてしまうと、これがカビの温床となり、悪臭の発生原因にもなり、衛生上も好ましくない。
このことは、特に抵抗力が低下している高齢者には大きな問題となる。なお、結露や漏れ出た肉汁を早期に拭き取ることも考えられるが、ショッピングバッグの中は暗く、汚れを拭き取りにくいという問題があった。
【特許文献１】特開２００１―６３５８３号公報
【発明の開示】
【発明が解決しようとする課題】
【０００４】
本発明は上記問題点に鑑み提案されたもので、商品から漏れた肉汁や結露による水滴などが、ショッピングバッグに吸収されるのを防止することにより、保温性が高く、カビや悪臭が発生しない衛生的に優れたショッピングカート用ショッピングバッグを提供することを目的とするものである。
【課題を解決するための手段】
【０００５】
上記目的を達成するために、請求項1記載の発明は、蓋により開閉可能な開口部を有し、外面の少なくとも一部に可動台車への取り付け部を備えたショッピングカート用ショッピングバッグであって、当該バッグの表面側が、化粧用シートで形成され、バッグの内面側が、水密性を有するシートの表面に金属箔を接着し若しくは金属蒸着を施してなる熱反射シートで形成されていることを特徴としている。
【０００６】
また、請求項２記載の発明は、請求項１記載のショッピングカート用ショッピングバッグにおいて、熱反射シートと化粧用シートとの間に、断熱層または緩衝層の少なくともいずれか一方を介在させたことを特徴としている。
【０００７】
また、請求項３記載の発明は、請求項1または２記載のショッピングカート用ショッピングバッグにおいて、可動台車が高齢者用の手押し車であることを特徴としている。
【発明の効果】
【０００８】
本発明によれば、蓋により開閉可能な開口部を有し、外面の少なくとも一部に可動台車への取り付け部を備え、当該バッグの表面側が、化粧用シートで形成され、バッグの内面側が、水密性を有するシートの表面に金属箔を接着し若しくは金属蒸着を施してなる熱反射シートで形成されているので、魚や肉を包装しているラップから漏れ出た肉汁等や、チルド冷蔵された商品や冷凍商品を収納した袋の表面に結露した水が、ショッピングバッグ内に滴り落ちても、水密性を有するシートに受け止められ、浸み込むのが防止される。
したがって、従来のように、ショッピングバッグ内に滴り落ちた肉汁や結露等の水滴を起因とするカビや悪臭の発生を解消でき、衛生的である。また、汚れを簡単に拭い去ることができ、手入れが簡単で、楽に維持できる。さらに、バッグの内面側が、金属箔を接着し若しくは金属蒸着を施した熱反射シートで形成されているので、チルド冷蔵や冷凍保存された商品の冷熱をバッグ内に反射させて、バッグの外部に放散するのを防止することができ、その保冷性能を向上させることができる利点もある。
【０００９】
加えて、バッグの内面側の熱反射シートは、金属箔を接着し若しくは金属蒸着を施したものであるので、熱だけでなく光も反射することができる。したがって、蓋を開けて、開口部からバッグの内部に外部の光が入ると、その光がバッグ内で反射するので、わずかな光でもバッグ内を明るく照らすことができ、汚れの付着した部分をはっきりと視認できる。したがって、汚れを簡単に拭い去ることができ、手入れが一層簡単に行える。
【００１０】
また、熱反射シートと化粧用シートとの間に、断熱層または緩衝層の少なくともいずれか一方を介在させたものでは、上記の効果に加えて、ショッピングバッグに収納された物品の保護機能を向上させたり、保温機能を一層向上させたりすることができる。
【００１１】
さらに、本発明のショッピングカート用ショッピングバッグを取り付ける可動台車が、高齢者が使用する手押し車である場合、体力や視力が低下している高齢者であっても、悪臭やカビの発生による不衛生さに悩まされることなく、快適に使用できるという利点がある。
【発明を実施するための最良の形態】
【００１２】
以下、本発明にかかる一実施形態について、図面に基づいて説明する。
本実施形態のショッピングカート用ショッピングバッグ１（以下、単にショッピングバッグ１という）は、図１、図２に示すように、上部が開口した物品収容部２と、物品収容部２の上端開口部２ａを閉止する蓋部３と、物品収容部２を可動台車に取り付けるための取り付け部４とを備えている。
【００１３】
物品収容部２は、図１から図３に示すように、底部２１と、底部２１の周囲から立ち上がる外周部２２とから構成されている。底部２１は、図５に示すように、後端部２１ａが直線状で、前端部２１ｂが湾曲状の平面視略蒲鉾形状に形成されている。外周部２２は、底部２１の後端部に縫着された長方形状の背面部２３と、底部２１の前端部に沿って縫着された曲面状の前面部２４とから構成されている。前面部２４の上端部は、図３、図５に示すように、幅方向両端部から幅方向中央部に向かって低くなるように形成されている。そして、前面部２４と背面部２３には、それぞれ小物を入れるためのポケット２５、２６が形成されている。
蓋部３は、図４に示すように、後端部が直線状で、前端部が湾曲状の略半円形状で、物品収容部２の上端開口部２ａを閉止可能な大きさに形成されている。蓋部３の後端部は、背面部２３の上端部に縫着されている。また、蓋部３と物品収容部２の前面部２４には、ファスナー５が縫着されており、蓋部３は、ファスナー５によって開閉可能になっている。
【００１４】
次に、物品収容部２および蓋部３の材質について説明する。物品収容部２および蓋部３は、図３に示すように、バッグの表面側が化粧用シート材６で形成され、内面側が熱反射シート材７で形成されている。化粧用シート材６は、合成樹脂製の織物からなる基材６１の表面に化粧プリントされた合成樹脂製の被膜６２を積層してなるものである。熱反射シート材７は、水密性を有する合成樹脂製のシート材７１の表面に、例えばアルミニウム製のフィルムシートを貼着したり、アルミニウムを蒸着してなる熱反射層７２が積層され、さらにこの熱反射層７２の表面に透明の合成樹脂製の保護フィルムシート７３を貼着してなるものである。
なお、熱反射シート材７の裏面には、断熱性およびクッション性を備えた不織布８が貼着されている。
【００１５】
取り付け部４は、図２、図５に示すように、背面部２３の四隅に設けられている取り付けベルト４１と、背面部２３の上端側に設けられている上端側取り付け片４２と、底部２１の前端部２１ｂ側に設けられている下端側取り付け片４３とからなる。
取り付けベルト４１は、合成樹脂製で、幅方向中央部が背面部２３に縫着されており、幅方向両端部にはそれぞれ一対の係止具４１ａ、４１ｂが取り付けられている。また、上端側取り付け片４２と下端側取り付け片４３とは、それぞれ物品収容部２に使用されている化粧用シート材６と同一の素材で形成されている。そして、上端側取り付け片４２の基端部は、背面部２３と蓋部５との間に挟みこんで一体に縫着されており、遊端部には背面部２３に設けられた被係止具４３ｂに着脱可能な係止具４３ａが取り付けられている。下端側取り付け片４３の基端部は、底部２１と前面部２４との間に挟みこんで一体に縫着されており、遊端部には、底部２１に設けられた被係止具４３ｂに着脱可能な係止具４３ａが取り付けられている。
【００１６】
そして、上記のショッピングバッグ１を使用する際には、図５に示すように、可動台車Ａに取り付けられる。可動台車Ａは、例えば、高齢者が使用する手押し車であって、アルミニウム製のパイプ材で形成され、荷台Ｂと、荷台Ｂに対して略垂直方向に配置されるフレーム部Ｃと、フレーム部Ｃの上端側にフレーム部Ｃに対して揺動可能に連結される逆Ｕ字状のハンドル部Ｄと、フレーム部Ｃの下端側に設けられる左右一対の車輪Ｅと、荷台の下方に延設される自立ストッパーＦとから構成されている。
ショッピングバッグ１は、背面部２３が可動台車Ａのフレーム部Ｃ側となるように、荷台Ｂに載置された後、可動台車Ａに固定される。具体的には、取り付けベルト４１を可動台車Ａのフレーム部Ｃに巻きつけて、ベルトの両端の係止具４１ａ、４１ｂを係止する。また、上端側取り付け部４をフレーム部Ｃの下端部分に巻き付けて、係止具４２ａを背面部２３の被係止具４２ｂに係止する。
そして、ショッピングバッグ１のファスナー５を開けて、物品収容部２の上端開口部２ａからチルド冷蔵や冷凍保存された商品を収容し、その後、上端開口部２ａに蓋部３を被せて、ファスナー５を閉じる。
【００１７】
以上詳述した通り、本実施形態のショッピングバッグ１は、バッグの内面側が、水密性を有する熱反射シート材７で形成されているので、魚や肉を包装しているラップから漏れ出た肉汁等や、チルド冷蔵された商品や冷凍商品を収納した袋の表面に結露した水が、ショッピングバッグ１内に滴り落ちても、水密性を有するシートに受け止められ、バッグに浸み込むのが防止される。したがって、従来のように、ショッピングバッグ内に滴り落ちた肉汁や結露等の水滴を起因とするカビや悪臭の発生を解消でき、衛生的である。また、汚れを簡単に拭い去ることができ、手入れが簡単で、楽に維持できる。さらに、チルド冷蔵や冷凍保存された商品の冷熱をバッグ内に反射させて、バッグの外部に放散するのを防止することができ、その保冷性能を向上させることができる利点もある。
【００１８】
加えて、バッグの内面側の熱反射シート材７は、熱だけでなく光も反射することができるので、蓋部３を開けて、上端開口部２ａからバッグの内部に外部の光が入ると、その光がバッグ内で反射するので、わずかな光でもバッグ内を明るく照らすことができ、汚れの付着した部分をはっきりと視認できる。したがって、汚れを簡単に拭い去ることができ、手入れが一層簡単に行える。
【００１９】
また、熱反射シート材７の裏面側に不織布８が貼着されているので、不織布８の断熱性能およびクッション性能により、上記の効果に加えて、ショッピングバッグ１に収納された物品の保護機能と保温機能を一層向上させることができる。
【００２０】
さらに、本実施形態のショッピングバッグ１を取り付ける可動台車Ａが、高齢者が使用する手押し車であるので、体力や視力が低下している高齢者であっても、悪臭やカビの発生による不衛生さに悩まされることなく、快適に使用できるという利点がある。
【００２１】
また、蓋部３をファスナー５で開閉するようにしたので、従来のように、物品収容部２の上部に蓋を被せるだけのものに比べて、物品収容部２内の密閉性が高まり、より一層、保冷性能を高めることができる。
【００２２】
さらに、物品収容部２の前面部２４の上端部が、幅方向両端部から幅方向中央部に向かって低くなるように形成されており、上端開口部２ａが、後方よりも前方の方が低くなるように広く開口しているので、物品の出し入れが容易である上、収容部内の掃除もしやすいという利点もある。
【００２３】
なお、本発明は、本実施形態に限定されるものではなく、熱反射シート材７の裏面側に不織布８を必ずしも貼着する必要はない。また、不織布８の代わりに、例えば、化粧用シート材６と熱反射シート材７との間に、ウレタンフォーム材を介装するようにしてもよい。
【００２４】
また、化粧用シート材６を水密性や撥水性を有する材質で形成してもよい。このようにすれば、雨などが化粧用シート材６からバッグ内部に浸み込んで、不衛生になるのを防止できる。
【００２５】
さらに、熱反射シート材７は、アルミニウム以外の金属を貼着または蒸着して形成してもよいし、金属に限られず、合成樹脂製の鏡面状のシート材を貼着しても構わない。
【００２６】
なお、このショッピングバッグ１は、高齢者用の手押し車に取り付けて使用されるものに限られず、汎用の可動台車に取り付けて使用しても構わない。
【図面の簡単な説明】
【００２７】
【図１】本発明にかかる一実施形態のショッピングバッグ１の正面図
【図２】図１に示すショッピングバッグ１の背面図
【図３】図１に示すショッピングバッグ１の右側面図
【図４】図１に示すショッピングバッグ１の平面図
【図５】図１に示すショッピングバッグ１の底面図
【図６】図１に示すショッピングバッグ１の外観斜視図
【図７】図１に示すショッピングバッグ１を可動台車Ａに取り付けた使用例を示す説明図
【符号の説明】
【００２８】
１    ショッピングカート用ショッピングバッグ
２ａ  上端開口部（開口部）
３    蓋部（蓋）
４    取り付け部
４１  取り付けベルト
４２  上端側取り付け片
４３  下端側取り付け片
６    化粧用シート
７    熱反射シート
８    不織布（断熱層、緩衝層）
【図１】
2007217013.tif 000003
【図２】
2007217013.tif 000004
【図３】
2007217013.tif 000005
【図４】
2007217013.tif 000006
【図５】
2007217013.tif 000007
【図６】
2007217013.tif 000008
【図７】
2007217013.tif 000009